(57)【要約】【課題】  駐車場内の駐車状況を表示して駐車利用者に知らせることができると共に、駐車場内にケーブルを敷設する必要がなく、且つ、微弱電波を使用することができる、簡素な構成の駐車場管理システムを提供する。【解決手段】  駐車場２内の区画された所定の駐車スペース３に配置され、駐車スペース３内の車両４の有無を検知し、検知情報を発信する第１検知装置５と、第１検知装置５が配置されない駐車スペース３に配置され、配置された駐車スペース３内の車両４の有無を検知し、検知情報を発信する第２検知装置６と、受信した情報を表示情報に変換する制御装置８と、制御装置８から送信される表示情報に基づき駐車場２内の各駐車スペース３内の車両４の有無を表示する表示装置７とを備え、前記第１検知装置５、及び、前記第２検知装置６によって生成した検知情報を無線通信によって順次リレー伝達するように構成されている駐車場管理システム１を提供する。【選択図】  図１
2007026223.tif 000002
【特許請求の範囲】
【請求項１】
駐車場内の区画された各駐車スペースの所定の駐車スペースに配置され、配置された駐車スペース内の車両の有無を検知すると共に、この検知信号に該駐車スペースの識別情報を付加して検知情報を生成し、該検知情報を無線送信する１乃至複数の第１検知装置と、
前記第１検知装置が配置されない駐車スペースに配置され、配置された駐車スペース内の車両の有無を検知すると共に、この検知信号に該駐車スペースの識別情報を付加して検知情報を生成し、且つ、特定の１乃至複数の検知装置から送信される信号を受信し、該検知情報、及び、受信した信号を無線送信する１乃至複数の第２検知装置と、
特定の前記第２検知装置から送信される信号を受信し、受信した信号を表示情報に変換して表示装置に送信する制御装置と、
制御装置から送信される表示情報を受信し、該表示情報に基づき駐車場内の各駐車スペース、及び、各駐車スペース内の車両の有無を表示する表示装置とを備え、
前記第１検知装置、及び、前記第２検知装置によって生成した検知情報を、該第１検知装置、及び、第２検知装置による無線通信によって順次リレー伝達し、前記制御装置を介して、前記表示装置によって表示するように構成されていることを特徴とする駐車場管理システム。
【請求項２】
上記第１検知装置、及び、第２検知装置は、４００ＭＨｚ乃至５００ＭＨｚの電波を送信する電波送信手段を備えることを特徴とする請求項１記載の駐車場管理システム。
【請求項３】
上記第１検知装置、及び、第２検知装置は、太陽光発電装置を具備することを特徴とする請求項１又は２記載の駐車場管理システム。
【請求項４】
上記第１検知装置、及び、第２検知装置は、赤外線センサ、金属センサ、又は、光学明暗センサの何れかを具備することを特徴とする請求項１，２又は３記載の駐車場管理システム。
【発明の詳細な説明】
【技術分野】
【０００１】
本発明は、駐車場内の駐車状況を表示して駐車利用者に知らせることができると共に、駐車場内にケーブルを敷設する必要がなく、且つ、微弱電波を使用することができる、簡素な構成の駐車場管理システムに関する。
【背景技術】
【０００２】
此種従来の駐車場管理システムとして、例えば、ケーブルで電気的に接続された車両センサを各駐車スペースに配置し、このセンサからの情報を基に空きスペースの有無や場所を管理室でモニターする方式が知られている。
【０００３】
この場合、既存の駐車場内にケーブルを敷設するには、駐車場の利用を一時中止し大規模な工事が必要となり、又、ケーブルを埋設すると、駐車場のレイアウト変更も容易に出来なくなるという問題がある。
【０００４】
そのような問題を解決するため、例えば、特許文献１には、駐車場内の各駐車スペース内の車両の有無を検出し、この検出信号を無線で送信する車両検出手段と、車両検出手段からの検出信号に基づいて、駐車場内の空き駐車スペースを利用者に表示する駐車スペース表示手段を備えた駐車場管理装置が記載されている。
【０００５】
この駐車場管理装置によると、既存の駐車場の利用を中断することなく設置が可能であり、且つ、駐車場利用者を円滑に空き駐車スペースに誘導することができる。
【特許文献１】特開平６−２２３２９９号公報
【発明の開示】
【発明が解決しようとする課題】
【０００６】
前述したように、既設の駐車場内にケーブルを敷設する場合、駐車場の利用を一時中止し大規模な工事が必要となり、又、ケーブルを埋設すると、駐車場のレイアウト変更も容易に出来なくなるという問題がある。
【０００７】
又、特許文献１に於いては、前述したように、車両検出手段の検出信号を無線で送信するため、既存の駐車場の利用を中断することなく設置が可能であり、駐車場利用者を円滑に空き駐車スペースに誘導することができる。
【０００８】
然しながら、特許文献１に於いては、車両検出手段が夫々受信ユニットに向かって無線信号を送信する構成であるため、電波の混信の問題があり、或いは、混信を避けるため各車両検出手段の送信周波数を異なる周波数とするためには、比較的幅広い周波数帯域を必要とし、更に、比較的広い駐車場に於いては、他への影響の少ない微弱電波が使えないという問題がある。
【０００９】
以上の現状に鑑み、本発明は、駐車場内の駐車状況を表示して駐車利用者に知らせることができると共に、駐車場内にケーブルを敷設する必要がなく、且つ、比較的他への影響の少ない微弱電波を使用することができる、簡素な構成の駐車場管理システムを提供することを目的とする。
【課題を解決するための手段】
【００１０】
上記の課題を解決すべく、本発明は以下の構成を提供する。
請求項１に係る発明は、駐車場内の区画された各駐車スペースの所定の駐車スペースに配置され、配置された駐車スペース内の車両の有無を検知すると共に、この検知信号に該駐車スペースの識別情報を付加して検知情報を生成し、該検知情報を無線送信する１乃至複数の第１検知装置と、
前記第１検知装置が配置されない駐車スペースに配置され、配置された駐車スペース内の車両の有無を検知すると共に、この検知信号に該駐車スペースの識別情報を付加して検知情報を生成し、且つ、特定の１乃至複数の検知装置から送信される信号を受信し、該検知情報、及び、受信した信号を無線送信する１乃至複数の第２検知装置と、
特定の前記第２検知装置から送信される信号を受信し、受信した信号を表示情報に変換して表示装置に送信する制御装置と、
制御装置から送信される表示情報を受信し、該表示情報に基づき駐車場内の各駐車スペース、及び、各駐車スペース内の車両の有無を表示する表示装置とを備え、
前記第１検知装置、及び、前記第２検知装置によって生成した検知情報を、該第１検知装置、及び、第２検知装置による無線通信によって順次リレー伝達し、前記制御装置を介して、前記表示装置によって表示するように構成されたことを特徴とする駐車場管理システムを提供するものである。
【００１１】
請求項２に係る発明は、上記第１検知装置、及び、第２検知装置は、４００ＭＨｚ乃至５００ＭＨｚの電波を送信する電波送信手段を備えることを特徴とする請求項１記載の駐車場管理システムを提供するものである。
【００１２】
請求項３に係る発明は、上記第１検知装置、及び、第２検知装置は、太陽光発電装置を具備することを特徴とする請求項１又は２記載の駐車場管理システムを提供するものである。
【００１３】
請求項４に係る発明は、上記第１検知装置、及び、第２検知装置は、赤外線センサ、金属センサ、又は、光学明暗センサの何れかを具備することを特徴とする請求項１，２又は３記載の駐車場管理システムを提供するものである。
【発明の効果】
【００１４】
本発明の請求項１記載の発明によれば、駐車場内の区画された各駐車スペースの所定の駐車スペースに配置され、配置された駐車スペース内の車両の有無を検知すると共に、この検知信号に該駐車スペースの識別情報を付加して検知情報を生成し、該検知情報を無線送信する１乃至複数の第１検知装置と、
前記第１検知装置が配置されない駐車スペースに配置され、配置された駐車スペース内の車両の有無を検知すると共に、この検知信号に該駐車スペースの識別情報を付加して検知情報を生成し、且つ、特定の１乃至複数の検知装置から送信される信号を受信し、該検知情報、及び、受信した信号を無線送信する１乃至複数の第２検知装置と、
特定の前記第２検知装置から送信される信号を受信し、受信した信号を表示情報に変換して表示装置に送信する制御装置と、
制御装置から送信される表示情報を受信し、該表示情報に基づき駐車場内の各駐車スペース、及び、各駐車スペース内の車両の有無を表示する表示装置とを備え、
前記第１検知装置、及び、前記第２検知装置によって生成した検知情報を、該第１検知装置、及び、第２検知装置による無線通信によって順次リレー伝達し、前記制御装置を介して、前記表示装置によって表示するように構成された駐車場管理システムを提供するので、駐車場内の駐車状況を表示して駐車利用者に知らせることができると共に、駐車場内にケーブルを敷設する必要がなく、且つ、微弱電波を使用することができる、簡素な構成の駐車場管理システムを提供することができる。
【００１５】
請求項２記載の発明によれば、上記第１検知装置、及び、第２検知装置は、４００ＭＨｚ乃至５００ＭＨｚの電波を送信する電波送信手段を備えるので、請求項１記載の発明の効果に加え、微弱電波を使用することによって、他の機器等へ悪影響を及ぼすことを防止することができる。
【００１６】
請求項３記載の発明によれば、上記第１検知装置、及び、第２検知装置は、太陽光発電装置を具備するので、請求項１又は２記載の発明の効果に加え、電源コードの敷設や電池等の交換が不要となる。
【００１７】
請求項４記載の発明によれば、上記第１検知装置、及び、第２検知装置は、赤外線センサ、金属センサ、又は、光学明暗センサの何れかを具備するので、請求項１，２又は３記載の発明の効果に加え、前記センサによって確実に車両を検知することができる。
【発明を実施するための最良の形態】
【００１８】
以下、実施例を示した図面を参照しつつ本発明の実施の形態を説明する。
図１に於いて、１は、本発明の第１実施例の駐車場管理システムであり、駐車場管理システム１は、駐車場２内の区画された各駐車スペース３，３…の所定の駐車スペース３に配置され、配置された駐車スペース３内の車両４の有無を検知すると共に、この検知信号に駐車スペースの識別情報を付加して検知情報を生成し、この検知情報を無線送信する１乃至複数（図に於いては１）の第１検知装置５（図中５（１）として示している）と、第１検知装置５が配置されない駐車スペース３，３…に配置され、配置された駐車スペース３内の車両４の有無を検知すると共に、この検知信号に駐車スペース３の識別情報を付加して検知情報を生成し、且つ、特定の１乃至複数の検知装置５又は６から送信される信号を受信し、検知情報、及び、受信した信号を無線送信する１乃至複数（図に於いては複数）の第２検知装置６，６…（図中６（２），６（３）…として示している）を備えている。
【００１９】
更に、前記駐車場管理システム１は、特定の前記第２検知装置６から送信される信号を受信し、受信した信号を表示情報に変換して表示装置７に送信する制御装置８と、制御装置８から送信される表示情報を受信し、表示情報に基づき駐車場２内の各駐車スペース３，３…、及び、各駐車スペース３，３…内の車両４，４…の有無を表示する表示装置７とを備えている。
【００２０】
尚、表示装置７は、駐車場利用者から良く見える位置、例えば、駐車場２の出入口等に設置される。又、表示装置７の表示手段としては液晶ディスプレイ、プラズマディスプレイ等が考えられるが、それらは比較的高価であるため、例えば、複数のプレートを夫々機械的に動かして表示を行なう表示板等、他の表示手段を用いても良い。
【００２１】
そして、前記駐車場管理システム１は、前記第１検知装置５，５…、及び、前記第２検知装置６，６…によって生成した検知情報を、図中、破線矢印で示す如く、第１検知装置５，５…、及び、第２検知装置６，６…による無線通信によって順次リレー伝達し、前記制御装置８を介して、前記表示装置７によって表示するように構成されている。
【００２２】
又、前記第１検知装置５、及び、第２検知装置６は、４００ＭＨｚ乃至５００ＭＨｚ、好適には４５０ＭＨｚ近傍の微弱電波を送信する電波送信手段である無線送信装置（図示せず）を備え、第２検知装置６には更に無線受信装置（図示せず）が具備されている。尚、前記第１検知装置５として、前記第２検知装置６と同装置を用いることも可能である。
【００２３】
又、前記第１検知装置５、及び、第２検知装置６には、一定時間毎に検知動作を行なわせるためのタイマー（図示せず）が具備されている。尚、第２検知装置６にはタイマーを設けず、他からの信号の受信に同期して検知動作を行なうよう構成しても良い。
【００２４】
更に、前記第１検知装置５、及び、第２検知装置６は、図２（ａ）に示す如く、駐車スペース３の地面ＧＬ上に少なくとも上部が露出するように設置され、図２（ｂ）に示す如く、上部に太陽光発電装置９、及び、赤外線センサ１０を具備している。尚、赤外線センサ１０に代えて、金属センサ、又は、光学明暗センサを具備しても良く、然る時も略同様の効果が期待できる。
【００２５】
従って、前記第１検知装置５、及び、第２検知装置６は、夫々が備えた太陽光発電装置９を電源とし、赤外線センサ１０によって車両４の有無を検知する。
【００２６】
而して、図１に示す駐車場２の前記駐車場管理システム１について更に具体的に説明すると、駐車場２には、１番の駐車スペース３に第１検知装置５（１）が配設され、２乃至８番の駐車スペースに第２検知装置６（２）乃至６（８）が夫々配置され、第２検知装置６（８）に無線接続されて前記制御装置８が配置され、制御装置８に接続されて前記表示装置７が配置されている。
【００２７】
前記第１検知装置５（１）は、一定時間毎に、第１検知装置５（１）が配置された１番の駐車スペース３内の車両４の有無を前記赤外線センサ（図２に於いて１０）によって検知すると共に、この検知信号に１番の駐車スペース３の識別情報を付加して検知情報を生成し、この検知情報を無線送信する。
【００２８】
前記第２検知装置６（２）は、一定時間毎に、第２検知装置６（２）が配置された２番の駐車スペース３内の車両４の有無を検知すると共に、この検知信号に２番の駐車スペース３の識別情報を付加して検知情報を生成し、この検知信号を記憶装置（図示せず）に一時記憶し、一方、前記第１検知装置５（１）から送信される信号を受信し、前記検知情報、及び、受信した信号を併せて無線送信する。
【００２９】
前記第２検知装置６（３）は、一定時間毎に、第２検知装置６（３）が配置された３番の駐車スペース３内の車両４の有無を検知すると共に、この検知信号に３番の駐車スペース３の識別情報を付加して検知情報を生成し、この検知信号を記憶装置（図示せず）に一時記憶し、一方、前記第２検知装置６（２）から送信される信号を受信し、検知情報、及び、受信した信号を併せて無線送信する。
【００３０】
以下、前記第２検知装置６（４）乃至前記第２検知装置６（８）に於いて同様な作動が行なわれる。
【００３１】
即ち、前記駐車場管理システム１は、前記第１検知装置５（１）、及び、前記第２検知装置６（２）乃至６（８）によって生成した検知情報を、図中、破線矢印の如く、第１検知装置５（１）から、第２検知装置６（２）を介して第２検知装置６（８）まで順次リレー伝達し、第２検知装置６（８）から送信された信号を前記制御装置８が受信して、表示情報に変換し、表示信号を前記表示装置７に送信する。
【００３２】
表示装置７は、制御装置８から送信される表示情報を受信し、表示情報に基づき、例えば、図３に示すように、駐車場２内の各駐車スペース、及び、各駐車スペース内の車両の有無を表示する。
【００３３】
尚、制御装置８から表示装置７への送信は有線で行なわれるが、無線送信することも可能であり、然る時も略同様の効果が期待できる。
【００３４】
斯くして、本発明の前記駐車場管理システム１は、駐車場２の駐車状況を表示装置７の表示によって駐車場利用者に知らせて、空き駐車スペース３へと車両４を円滑に誘導することができる。
【００３５】
又、前記駐車場管理システム１は、駐車場２内に送受信用のケーブル等を敷設する必要がなく、且つ、微弱電波を使用することができる簡素な構成とすることができる。従って、微弱電波を用いることによって、電波による他の機器への悪影響を防止することができると共に、駐車場管理システム１を安価に構築できる。
【００３６】
更に、前記駐車場管理システム１の第１検知装置５、及び、第２検知装置６は、４００ＭＨｚ乃至５００ＭＨｚの電波を送信するので、微弱電波を使用することによって、電波の利用が容易になると共に、電波による他への悪影響、特に、他の機器への悪影響を防止することができる。
【００３７】
更に又、前記第１検知装置５、及び、第２検知装置６は、太陽光発電装置９を具備するので、電源コードの敷設、電池等の交換が不要となり、太陽光発電装置９による半永久的な使用が可能となる。
【００３８】
そして、前記第１検知装置５、及び、第２検知装置６は、赤外線センサ１０を具備するので、赤外線センサ１０によって確実に車両４を検知することができる。
【００３９】
図４は、前記駐車場（図１に於いて２）よりも大きな駐車場２１に適用される本発明の第２実施例の駐車場管理システム２２を示し、駐車場管理システム２２は、１番の駐車スペース３に第１検知装置２３（１）が配設され、１１番の駐車スペース３に第１検知装置２３（１１）が配設され、２１番の駐車スペース３に第１検知装置２３（２１）が配設され、２番乃至１０番の駐車スペース３，３…に第２検知装置２４（２）乃至２４（１０）が配設され、１２番乃至１８番の駐車スペース３，３…に第２検知装置２４（１２）乃至２４（１８）が配設され、２２番乃至２８番の駐車スペース３，３…に第２検知装置２４（２２）乃至２４（２８）が配設され、３１番乃至３８番の駐車スペース３，３…に第２検知装置２４（３１）乃至２４（３８）が配設されている。
【００４０】
前記第１検知装置２３（１）、２３（１１）及び２３（２１）は、前記第１検知装置（図１に於いて５）と同機能を有し、同様に作動し、前記第２検知装置２４（２）乃至２４（１０）、２４（１２）乃至２４（１８）、２４（２２）乃至２４（２８）、２４（３１）乃至２４（３８）は前記第２検知装置（図１に於いて６）と同機能を有し、同様に作動する。
【００４１】
但し、前記第２検知装置２４（１８）は、第２検知装置２４（１７）から送信される信号を受信すると共に、第２検知装置２４（１０）から送信される信号も受信する。
【００４２】
同様に、前記第２検知装置２４（２８）は、第２検知装置２４（２７）から送信される信号を受信すると共に、第２検知装置２４（１８）から送信される信号も受信する。
【００４３】
従って、図中破線矢印の如く、前記第１検知装置２３（１）乃至第２検知装置２４（１０）の間で生成された情報は、第１検知装置２３（１）乃至第２検知装置２４（１０）の間を無線送受信により順次リレー伝達されて第２検知装置２４（１０）から前記第２検知装置２４（１８）に受信され、一方、前記第１検知装置２３（１１）乃至第２検知装置２４（１７）の間で生成された情報は、第１検知装置２３（１１）乃至第２検知装置２４（１７）の間を無線送受信により順次リレー伝達されて第２検知装置２４（１７）から第２検知装置２４（１８）に受信され、前記第１検知装置２３（２１）乃至第２検知装置２４（２７）の間で生成された情報は、第１検知装置２３（２１）乃至第２検知装置２４（２７）の間を無線送受信により順次リレー伝達されて第２検知装置２４（２７）から前記第２検知装置２４（２８）に受信され、第２検知装置２４（１８）、第２検知装置２４（２８）、前記第２検知装置２４（３８）乃至第２検知装置２４（３１）の間で生成された情報、及び、それらが受信した情報は、第２検知装置２４（１８）、第２検知装置２４（２８）、第２検知装置２４（３８）乃至第２検知装置２４（３１）の間を無線送受信により順次リレー伝達されて第２検知装置２４（３１）から前記制御装置８に受信される。
【００４４】
そして、制御装置８から送出される信号に基づき前記表示装置７が表示される。
【００４５】
斯くして、比較的大きな前記駐車場管理システム２２に於いても、前記駐車場管理システム１と同様に、駐車場２１の駐車状況を駐車場利用者に表示して知らせて、空き駐車スペース３へと車両４を円滑に移動させることができる。尚、前述のリレー伝達の方法は一例であり、種々のリレー伝達の方法が考えられ、又、駐車場の状況によっても変化させることができる。
【図面の簡単な説明】
【００４６】
【図１】本発明による駐車場管理システムの説明図である。
【図２】（ａ）本発明の駐車場管理システムの第１検知装置、又は、第２検知装置の設置状態を示す説明図である。（ｂ）本発明の駐車場管理システムの第１検知装置、又は、第２検知装置の設置状態を示す拡大説明図である。
【図３】本発明による駐車場管理システムの表示装置の表示例の説明図である。
【図４】本発明による駐車場管理システムが比較的大きな駐車場に適用された場合の説明図である。
【符号の説明】
【００４７】
１，２２  駐車場管理システム
２，２１  駐車場
３  駐車スペース
４  車両
５，２３  第１検知装置
６，２４  第２検知装置
７  表示装置
８  制御装置
９  太陽光発電装置
１０  赤外線センサ
【図１】
2007026223.tif 000003
【図２】
2007026223.tif 000004
【図３】
2007026223.tif 000005
【図４】
2007026223.tif 000006